(57)【要約】    【課題】  タブレット型端末を有効に利用して、車両の走行状態などを示す車両メータ情報及び他の機能情報を同一の画面上に表示し、車両搭乗者の利便性を高めることができる車両用情報表示システムを提供する。    【解決手段】  運転席正面に配置されたパソコンホルダ１２を用いて、車両メータ情報を表示する車両メータパネル１１を覆うようにＴＡＢパソコン１００を設置することが可能であり、ＴＡＢパソコン１００が設置された状態では、車両メータ情報がＴＡＢパソコン１００の表示画面の第１表示域ＲＤ１に表示されるとともに、地図情報などの機能情報が第２表示域ＲＤ２に表示され、第２表示域ＲＤ２に表示すべき機能情報の切換指令が受け付けられたときは、第１表示域ＲＤ１の車両メータ情報の表示を維持しつつ、第２表示域ＲＤ２に表示される機能情報の切換が行われる。【選択図】  図１
2014094639.tif 000002
【特許請求の範囲】
【請求項１】
車両に搭載され、当該車両の状態に関する車両メータ情報と、地図情報を含む複数の機能情報とを表示するための制御を行う情報表示制御装置と、タブレット型端末とを備える車両用情報表示システムであって、
前記車両は、
運転席正面に前記車両メータ情報を表示する車両メータと、
該車両メータを覆うようにタブレット型端末を設置可能な端末設置手段とを備えており、
前記タブレット型端末は、前記機能情報の切換指令を受け付ける指令受付手段を有し、
前記情報表示制御装置は、
前記端末設置手段に前記タブレット型端末が設置された状態で、前記タブレット型端末との間でデータ伝送制御を行い、前記タブレット型端末の表示画面に前記車両メータ情報及び機能情報を表示するための表示制御を行い、
前記車両メータ情報を前記タブレット型端末の表示画面の第１表示域に表示し、前記機能情報を前記表示画面の第２表示域に表示するとともに、前記指令受付手段が前記切換指令を受け付けたときは、前記車両メータ情報の表示を維持しつつ、前記第２表示域に表示する前記機能情報の切換を行うように前記表示制御を行うことを特徴とする車両用情報表示システム。
【請求項２】
前記情報表示制御装置は、前記第１表示域と前記第２表示域の境界の形状は、前記第２表示域に表示する機能情報に応じて変更することを特徴とする請求項１に記載の車両用情報表示システム。
【請求項３】
前記情報表示制御装置は、前記第２表示域に前記地図情報を表示するときは、前記車両メータ情報を前記表示画面の上側に表示するとともに、前記地図情報を前記車両メータ情報の下側に表示し、かつ前記車両メータ情報と地図情報の境界が上に凸の円弧状をなすように表示することを特徴とする請求項１または２に記載の車両用情報表示システム。
【請求項４】
前記指令受付手段は、前記タブレット型端末の前で動く手の動き方向を検出することにより前記切換指令を受け付けるものであり、前記情報表示制御装置は、前記第２表示域に表示する前記機能情報の切換を検出される手の動き方向に応じて行うことを特徴とする請求項１から３の何れか１項に記載の車両用情報表示システム。
【請求項５】
前記情報表示制御装置は、前記タブレット型端末が前記端末設置手段に設置されたときに、前記タブレット型端末の通信制御プログラムを起動し、該通信制御プログラムを介して前記データ伝送制御を実行し、
起動された前記通信制御プログラムは、前記タブレット型端末が前記端末設置手段から外された後も前記データ伝送制御動作を継続することを特徴とする請求項１から４の何れか１項に記載の車両用情報表示システム。
【請求項６】
車両に搭載され、当該車両の状態に関する車両メータ情報と、地図情報を含む複数の機能情報とを表示するための制御を行う車両用情報表示制御装置において、
前記車両は、
運転席正面に前記車両メータ情報を表示する車両メータと、
該車両メータを覆うようにタブレット型端末を設置可能な端末設置手段とを備えており、
前記機能情報の切換指令を受け付ける指令受付手段と、
前記端末設置手段に前記タブレット型端末が設置された状態で、前記タブレット型端末との間でデータ伝送制御を行い、前記タブレット型端末の表示画面に前記車両メータ情報及び機能情報を表示するための表示制御を行う端末制御手段とを備え、
前記端末制御手段は、前記車両メータ情報を前記表示画面の第１表示域に表示し、前記機能情報を前記表示画面の第２表示域に表示するとともに、前記指令受付手段が前記切換指令を受け付けたときは、前記車両メータ情報の表示を維持しつつ、前記第２表示域に表示する前記機能情報の切換を行うように前記表示制御を行うことを特徴とする車両用情報表示制御装置。
【発明の詳細な説明】
【技術分野】
【０００１】
本発明は、車両の運転席正面に情報を表示するための車両用情報表示システム及び車両用情報表示制御装置に関し、特に車速などの車両の状態に関する情報と、地図情報等の機能情報とを同一の画面上に表示する制御を行うものに関する。
【背景技術】
【０００２】
特許文献１には、車速などの車両の状態を示す情報とナビゲーション情報とを同一の画面上に表示する車両用表示装置が示されている。この装置によれば、同文献の図１に示されるように、例えば画面の中央付近にエンジン回転数及び車速が表示され、左側にナビゲーション情報が表示され、右側にシフトレバー位置、エンジン冷却水温、及び燃料量が表示される。
【先行技術文献】
【特許文献】
【０００３】
【特許文献１】特許第４５１００１９号公報
【発明の概要】
【発明が解決しようとする課題】
【０００４】
近年、携帯可能なタブレット型パーソナルコンピュータが普及し始めており、またそのような携帯端末向けのナビゲーションソフトウェアも普及し始めている。そのため、携帯端末を車両内に持ち込むことによって、安価に車両用ナビゲーション装置として使用することができる。このような近年の技術動向を考慮した場合、上記特許文献１に示された表示装置には改善の余地があった。
【０００５】
本発明は上述した点を考慮してなされたものであり、タブレット型端末を有効に利用して、車両の走行状態などを示す車両メータ情報及び他の機能情報を同一の画面上に表示し、車両搭乗者の利便性を高めることができる車両用情報表示システム及び車両用情報表示制御装置を提供すること目的とする。
【課題を解決するための手段】
【０００６】
上記目的を達成するため請求項１に記載の発明は、車両に搭載され、当該車両の状態に関する車両メータ情報と、地図情報を含む複数の機能情報とを表示するための制御を行う情報表示制御装置（１０）と、タブレット型端末（１００）とを備える車両用情報表示システムであって、前記車両は、運転席正面に前記車両メータ情報を表示する車両メータ（１１）と、該車両メータ（１１）を覆うようにタブレット型端末（１００）を設置可能な端末設置手段（１２）とを備えており、前記タブレット型端末（１００）は、前記機能情報の切換指令を受け付ける指令受付手段を有し、前記情報表示制御装置（１０）は、前記端末設置手段（１２）に前記タブレット型端末が設置された状態で、前記タブレット型端末との間でデータ伝送制御を行い、前記タブレット型端末（１００）の表示画面に前記車両メータ情報及び機能情報を表示するための表示制御を行い、前記車両メータ情報を前記タブレット型端末（１００）の表示画面の第１表示域（ＲＤ１）に表示し、前記機能情報を前記表示画面の第２表示域（ＲＤ２）に表示するとともに、前記指令受付手段が前記切換指令を受け付けたときは、前記車両メータ情報の表示を維持しつつ、前記第２表示域（ＲＤ２）に表示する前記機能情報の切換を行うように前記表示制御を行うことを特徴とする。
【０００７】
請求項２に記載の発明は、請求項１に記載の車両用情報表示システムにおいて、前記情報表示制御装置は、前記第１表示域と前記第２表示域の境界（ＢＬ１〜ＢＬ４）の形状は、前記第２表示域（ＲＤ２）に表示する機能情報に応じて変更することを特徴とする。
【０００８】
請求項３に記載の発明は、請求項２に記載の車両用情報表示システムにおいて、前記情報表示制御装置は、前記第２表示域（ＲＤ２）に前記地図情報を表示するときは、前記車両メータ情報を前記表示画面の上側に表示するとともに、前記地図情報を前記車両メータ情報の下側に表示し、かつ前記車両メータ情報と地図情報の境界（ＢＬ１）が上に凸の円弧状をなすように表示することを特徴とする。
【０００９】
請求項４に記載の発明は、請求項１から３の何れか１項に記載の車両用情報表示システムにおいて、前記指令受付手段は、前記タブレット型端末（１００）の前で動く手の動き方向を検出することにより前記切換指令を受け付けるものであり、前記情報表示制御装置（１０）は、前記第２表示域（ＲＤ２）に表示する前記機能情報の切換を検出される手の動き方向に応じて行うことを特徴とする。
【００１０】
請求項５に記載の発明は、請求項１から４の何れか１項に記載の車両用情報表示システムにおいて、前記端末制御手段は、前記タブレット型端末が前記端末設置手段に設置されたときに、前記タブレット型端末の通信制御プログラムを起動し、該通信制御プログラムを介して前記データ伝送制御を実行し、起動された前記通信制御プログラムは、前記タブレット型端末が前記端末設置手段から外された後も前記データ伝送制御動作を継続することを特徴とする。
【００１１】
請求項６に記載の発明は、車両に搭載され、当該車両の状態に関する車両メータ情報と、地図情報を含む複数の機能情報とを表示するための制御を行う車両用情報表示制御装置（１０ａ）において、前記車両は、運転席正面に前記車両メータ情報を表示する車両メータ（１１）と、該車両メータ（１１）を覆うようにタブレット型端末を設置可能な端末設置手段（１２）とを備えており、前記機能情報の切換指令を受け付ける指令受付手段と、前記端末設置手段（１２）に前記タブレット型端末（１００）が設置された状態で、前記タブレット型端末との間でデータ伝送制御を行い、前記タブレット型端末の表示画面に前記車両メータ情報及び機能情報を表示するための表示制御を行う端末制御手段とを備え、前記端末制御手段は、前記車両メータ情報を前記表示画面の第１表示域（ＲＤ１）に表示し、前記機能情報を前記表示画面の第２表示域（ＲＤ２）に表示するとともに、前記指令受付手段が前記切換指令を受け付けたときは、前記車両メータ情報の表示を維持しつつ、前記第２表示域（ＲＤ２）に表示する前記機能情報の切換を行うように前記表示制御を行うことを特徴とする。
【発明の効果】
【００１２】
請求項１に記載の発明によれば、運転席正面に配置され、車両の状態に関する車両メータ情報を表示する車両メータを覆うようにタブレット型端末を設置することが可能であり、タブレット型端末が設置された状態では、車両メータ情報がタブレット型端末の表示画面の第１表示域に表示されるとともに、地図情報などの機能情報が第２表示域に表示され、第２表示域に表示すべき機能情報の切換指令が受け付けられたときは、第１表示域の車両メータ情報の表示を維持しつつ、第２表示域に表示される機能情報（例えば地図情報、オーディオ操作用情報、空調機操作用情報、車載カメラ画像など）の切換が行われる。したがって、限られた表示画面の中で煩雑なメニュー階層を介することなく、簡便に所望の機能情報画像への切換を行うことができ、車両搭乗者の利便性を高めることができる。
【００１３】
請求項２に記載の発明によれば、第１表示域と第２表示域の境界の形状は、第２表示域に表示する機能情報に応じて変更されるので、表示すべき機能情報に適した表示域形状とすることができる。
【００１４】
請求項３に記載の発明によれば、機能情報として地図情報を表示するときは、車両メータ情報が表示画面の上側に表示されるとともに、地図情報が車両メータ情報の下側に表示され、かつ車両メータ情報と地図情報の境界が上に凸の円弧状をなすように表示されるので、タブレット型端末の限られた画面上に、必須の車両メータ情報を表示しつつ、地図情報の表示領域が確保され、しかも上に凸の円弧状の境界とすることによって臨場感のある表示を行うことができる。
【００１５】
請求項４に記載の発明によれば、タブレット型端末の前で動く手の動き方向を検出することにより切換指令が受け付けられ、第２表示域に表示する機能情報の切換が検出される手の動き方向に応じて行われる。タブレット型端末では、表示画面（パネル）上で指を素早く移動させるフリック操作を検出し、そのときの手の動き方向に応じて、表示画像切換を行うこと、あるいはカメラによって搭乗者の手の動きを撮影し、所定の手の動きを検出したときに、その動き方向に応じて表示画像切換を行うことができ、簡便に所望の機能情報への切換が可能となる。
【００１６】
請求項５に記載の発明によれば、タブレット型端末が端末設置手段に設置されたときにタブレット型端末の通信制御プログラムが起動され、起動された通信制御プログラムは、タブレット型端末が端末設置手段から外された後もデータ伝送制御動作を継続する。したがって、例えばタブレット型端末を端末指示手段から外して後部座席搭乗者が空調機やオーディオ機能の操作を行うことなどが可能となり、より利便性を向上させることができる。
【００１７】
請求項６に記載の発明では、指令受付手段は、タブレット型端末側ではなく情報表示制御装置側に設けられている。例えば、端末設置手段の近傍にカメラを設けることにより、またはステアリングやインストルメンタルパネルに機能情報切換用のスイッチを設けることにより、タブレット型端末を介することなく機能情報の切換指令を受け付けることができ、請求項１に記載の発明と同様の効果を得ることができる。
【図面の簡単な説明】
【００１８】
【図１】本発明の一実施形態（第１の実施形態）にかかる車両用画像表示制御装置及びその周辺構成要素を示すブロック図である。
【図２】車両内におけるタブレット型パーソナルコンピュータの設置状態を説明するための図である。
【図３】車速、走行距離などを示す車両メータを示す図である。
【図４】設置されたタブレット型パーソナルコンピュータの画面上に表示する画像を説明するための図である。
【図５】設置されたタブレット型パーソナルコンピュータの画面上に表示する画像を説明するための図である。
【図６】タブレット型パーソナルコンピュータ画面の表示制御を行う処理のフローチャートである。
【図７】本発明の第２の実施形態にかかる車両用画像表示制御装置及びその周辺構成要素を示すブロック図である。
【発明を実施するための形態】
【００１９】
以下本発明の実施の形態を図面を参照して説明する。
［第１の実施形態］
図１は本発明の一実施形態にかかる画像表示制御装置及びタブレット型端末を含む車両用画像表示システムの構成を示すブロック図である。本実施形態における車両は、モータを駆動源とし、乗車定員が２名の小型電気自動車である。この車両は、画像表示制御装置１０と、図２（ａ）に示すように運転席の正面に、車両の状態に関する車両メータ情報を表示する車両メータパネル１１と、タブレット型端末としてのタブレット型パーソナルコンピュータ（以下「ＴＡＢパソコン」という）１００を設置可能なパソコンホルダ１２と、車両の後方の画像を撮像するカメラ１３とを備えている。
【００２０】
車両メータパネル１１は、具体的には図３に示すように、車速表示部２１、走行距離表示部２２、バッテリ充電量表示部２３、バッテリの充放電状態を示す充放電状態表示部２４、シフト位置（Ｄレンジ、Ｒレンジなど）を示すシフト位置表示部２５、及びランプの点灯状態や燃料量、各種警告灯などの表示を行うためのインジケータ表示部２６を備えている。パソコンホルダ１２は、図２（ｂ）に示すように、車両メータパネル１１を覆うようにＴＡＢパソコン１００を設置できるように配置されている。
【００２１】
図１に戻り、画像表示制御装置１０は、電子制御ユニット（以下「ＥＣＵ」という）１と、ＴＡＢパソコン１００との間でデータ伝送を行うためのインタフェース部２と、車両に搭載される他の制御装置（モータ制御装置、オーディオ機器制御装置、空調機制御装置など）との間でデータ伝送を行うための通信部３と、ＴＡＢパソコン１００がパソコンホルダ１２に設置されたことを検出する設置センサ４とを備えている。インタフェース部２は、ＴＡＢパソコン１００の設置が検出されると、無線通信（例えばブルートゥース，Wi-Fiなどの近距離無線通信規格に準拠した通信）によってＴＡＢパソコン１００との間でデータ伝送を行う。設置センサ４は、機械的なスイッチ、あるいは発光素子と受光素子とを組み合わせた検出器などを用いて構成することができる。通信部３は、図示しない車両内ＬＡＮ（ローカルエリアネットワーク）を介してデータ伝送を行う。
【００２２】
図４及び図５は、ＴＡＢパソコン１００がパソコンホルダ１２に設置された状態においてＴＡＢパソコン１００の表示画面に表示する画像を説明するための図である。同図（ａ）〜（ｄ）に示す各画像は、いずれも車両メータパネル１１に表示される車両メータ情報を画面上側の第１表示域ＲＤ１に表示し、第１表示域ＲＤ１の下側の第２表示域ＲＤ２にはそれぞれ地図情報、オーディオ情報・操作パネル画像、空調機操作パネル画像、及びカメラ１３により得られるバックモニタ画像を表示するように構成される。本明細書では、地図情報、オーディオ情報・操作パネル画像、空調機操作パネル画像、バックモニタ画像など、車両メータ情報以外の表示情報を「機能情報」と総称する。
【００２３】
図４（ａ）に示す画像では、ＴＡＢパソコン１００のナビゲーションソフトによって生成される地図情報と、車両メータパネル１１の車両メータ情報とが表示され、さらに２つの情報の境界ＢＬ１が上に凸の円弧状をなすように表示される。このような表示を行うことによって、ＴＡＢパソコン１００の限られた画面上に、必須の車両メータ情報を表示しつつ、地図情報の表示領域が確保され、しかも上に凸の円弧状の境界とすることによって臨場感のある表示を行うことができる。
【００２４】
図４（ｂ）〜（ｄ）に示す各画像では、車両メータ情報と機能情報（オーディオ情報・操作パネル画像、空調機操作パネル画像、バックモニタ画像）との境界ＢＬ２〜ＢＬ４は、それぞれ下の凸の円弧状、直線状、あるいは矩形となるように表示される。このように車両メータ情報と他の機能情報とを表示する画像における２つの情報の境界ＢＬ１〜ＢＬ４の形状は、表示する機能情報に応じて変更される。したがって、表示すべき情報に適した表示領域形状とすることができる。なお、図４（ｂ）に破線で囲んで示す「ＣＤジャケット」は、複数のＣＤジャケットの画像を表示していることを示すために付した説明書きであり、実際にこの文字が表示画像に含まれていることを示したものではない。他の図においても破線で囲んで示す文字は説明書きである。
【００２５】
本実施形態では、図４に示す各画像の切換は、ＴＡＢパソコン１００の表示画面上で複数本の指を右または左に移動させるフリック操作によって行われる。例えば１回の右方向フリック操作で同図（ａ）の画像から同図（ｂ）の画像に切り換え、次の１回の右方向フリック操作で同図（ｂ）の画像から同図（ｃ）の画像に切り換え、次の１回の右方向フリック操作で同図（ｃ）の画像から同図（ａ）の画像に戻るように表示画像切換が行われる。また、１回の左方向フリック操作によって右方向フリック操作と逆順の表示画像切換が行われる。また同図（ａ）（ｂ）（ｃ）の画像状態で変速機のシフト位置がリバースに入った場合は、同図（ｄ）の画像に自動で切り替わり、シフト位置がリバースから解除されたら元の画像状態に自動で戻る。このような切換操作を可能とすることにより、限られた表示画面の中に複雑なメニュー表示を行うことなく、簡便に所望の画像への切換を行うことができる。
【００２６】
図４（ａ）に示す地図情報画像では、ＴＡＢパソコン１００の表示画面上で１本の指（以下「単指」という）を上下左右に動かす操作により単指が動く方向に地図の移動が行われ、同画面上で２本の指の間隔を狭めたり広げたりする操作（ピンチ操作）により地図の縮小・拡大が行われる。また図４（ｂ）に示すオーディオ情報画像は、再生可能なＣＤアルバムを示しており、ＴＡＢパソコン１００の表示画面上で単指を左右に動かす操作により収録アルバムの確認と選択が可能であり、この画像に含まれる「曲」ボタンを押す（指で触れる）と、図５（ａ）に示す画像への切換が行われ、表示されている曲の再生が可能となる。また「アーティスト」ボタンを押すと、図５（ｂ）に示す画像への切換が行われ、アーティスト毎のアルバムタイトルリストが表示される。
【００２７】
図６は、上述した画像表示制御を行う処理の手順を示すフローチャートである。この処理は、ＥＣＵ１において実行される。
ステップＳ１１では、ＴＡＢパソコン１００がパソコンホルダ１２に設置されたか否かを判別し、設置されるまで待機する。設置されるとステップＳ１２に進み、通信制御プログラムを起動する起動信号をＴＡＢパソコン１００へ送出する。
【００２８】
ステップＳ１３では、起動完了を示す信号をＴＡＢパソコン１００から受信するまで待機し、受信するとステップＳ１４に進んでＴＡＢパソコン１００の表示画面上に初期画像を表示する。初期画像としては予め設定された画像（例えば図４（ａ）の画像）あるいは前回最後に表示していた画像が使用される。
【００２９】
ステップＳ１５では、画像の切換指示入力があったか否か（ＴＡＢパソコン１００から切換指示信号を受信したか否か）を判別し、その答が肯定（ＹＥＳ）であるときは画像の切換を行う（切換を指令する信号をＴＡＢパソコン１００へ送出する）（ステップＳ１６）。ステップＳ１７では、ＴＡＢパソコン１００の表示画面に示されたボタンの操作が行われたか否かを判別し、その答が肯定（ＹＥＳ）であるときは対応する制御動作（例えば、空調機のオンオフ切換、設定温度変更など）を行うよう他の制御装置へ制御信号を送出する、あるいは図５に示すように表示画像をさらに切り換える動作を行う（ステップＳ１８）。
【００３０】
ステップＳ１９では終了フラグＦＥＮＤが「１」であるか否かを判別し、その答が否定（ＮＯ）である間は、ステップＳ１５に戻る。終了フラグＦＥＮＤは、例えば車両の電源スイッチがオフされたとき、あるいはＴＡＢパソコン１００がパソコンホルダ１２から外された後、所定時間ＴＷＡＩＴ内に画像切換指示入力または操作入力がなされたかったとき、「１」に設定される。
【００３１】
ステップＳ１９の答が肯定（ＹＥＳ）であるときは、ＴＡＢパソコン１００の通信制御プログラムの動作を終了させる信号を送出し（ステップＳ２０）、処理を終了する。すなわち、本実施形態ではＴＡＢパソコン１００がパソコンホルダ１２から外された後でも、所定時間ＴＷＡＩＴより短い間隔でＴＡＢパソコン１００において操作入力が行われている間、またはＴＡＢパソコン１００のホームキー（初期画面への戻りキー）が操作されるまでは、ＴＡＢパソコン１００の通信制御プログラムの動作が継続される。したがって、例えばＴＡＢパソコン１００をパソコンホルダ１２から外して後部座席搭乗者が空調機やオーディオ機能の操作を行うことなどが可能となり、より利便性を向上させることができる。
【００３２】
以上のように本実施形態では、運転席正面に配置されたパソコンホルダ１２を用いて、車両メータパネル１１を覆うようにＴＡＢパソコン１００を設置することが可能であり、ＴＡＢパソコン１００が設置された状態では、車両メータ情報がＴＡＢパソコン１００の表示画面の第１表示域ＲＤ１に表示されるとともに、地図情報などの機能情報が第２表示域ＲＤ２に表示され、第２表示域ＲＤ２に表示すべき機能情報の切換指令が受け付けられたときは、第１表示域ＲＤ１の車両メータ情報の表示を維持しつつ、第２表示域ＲＤ２に表示される機能情報の切換が行われる。したがって、限られた表示画面の中で煩雑なメニュー階層を介することなく、簡便に所望の機能情報画像への切換を行うことが可能となる。
【００３３】
本実施形態では、車両メータパネル１１が車両メータに相当し、ＴＡＢパソコン１００がタブレット型端末に相当し、パソコンホルダ１２が端末設置手段に相当し、ＴＡＢパソコン１００が指令受付手段を構成する。
【００３４】
［第２の実施形態］
本実施形態は、ＴＡＢパソコン１００に表示している画像の切換指令の受け付けを、操作者の手の動きを撮影するカメラを使用して行うようにしたものである。以下に説明する点以外は、第１の実施形態と同一である
図７は、本実施形態における画像表示制御装置１０ａ及び周辺構成要素を示すブロック図であり、画像表示制御装置１０ａは、パソコンホルダ１２の近傍に設けられ、運転席方向を撮像可能に配置された操作入力カメラ５を備えている。
【００３５】
操作入力カメラ５によって操作者（搭乗者）の手の動きを撮影し、ＥＣＵ１は、所定の手の動きが検出されたときに、画像切換を行うように制御する。その際手の動きの方向を検出し、上述した右方向フリック操作と左方向フリック操作とに対応させて切換制御を行うことが望ましい。
【００３６】
本実施形態では、図６に示す表示制御処理のステップＳ１５では画像切換指示入力は、画像表示制御装置１０ａの操作入力カメラ５及びＥＣＵ１によって受け付けられる。
本実施形態によれば、操作者はＴＡＢパソコン１００の画面に触れることなく、ＴＡＢパソコン１００の画面に表示される画像の切換を行うことが可能となる。
本実施形態では、操作入力カメラ５及びＥＣＵ１が指令受付手段を構成し、ＥＣＵ１、、インタフェース部２、及び設置センサ４が端末制御手段を構成する。
【００３７】
なお本発明は上述した実施形態に限るものではなく、種々の変形が可能である。例えば、上述した実施形態では、インタフェース部２は無線通信によってＴＡＢパソコン１００との間でデータ伝送を行うようにしたが、コネクタを介した接続によるデータ伝送を行うようにしてもよい。その場合には、パソコンホルダ１２に接続用のコネクタを配置する。
【００３８】
また、上述した第１の実施形態ではフリック操作によって、画像切換指示操作を行うようにしたが、ＴＡＢパソコン１００のカメラを、パソコンホルダ１２に設置した状態で搭乗者を撮影可能に配置し、第２の実施形態における操作入力カメラ５と同様に使用して搭乗者の手の動きを撮影し、所定の手の動きが検出されたときに、画像切換を行うようにしてもよい。あるいはステアリングに設けたスイッチや、インストルメントパネルに設けたスイッチの操作により、画像切換を行うようにしても良い。
【００３９】
また、上述した実施形態では、車両側の画像表示制御装置との間でデータ伝送を行うための通信制御プログラムがＴＡＢパソコン１００に予めインストールされていることを前提としたが、通信制御プログラムがインストールされていないＴＡＢパソコン１００が車室内に持ち込まれたときは、先ず必要な通信制御プログラムをＴＡＢパソコン１００にインストールし、その後にインストールした通信制御プログラムを起動するようにしてもよい。
【００４０】
この変形例では、図６のステップＳ１２の前に通信制御プログラムのインストールを行うステップを追加し、インストールの可否を問い合わせる画像をＴＡＢパソコン１００の画面に表示し、「インストール可」の応答を得てからインストールを実行する。
この変形例によれば、予め通信制御プログラムがインストールされていないＴＡＢパソコン１００であっても、車両メータ情報及び他の機能情報の表示装置として使用することが可能となる。
【００４１】
また、タブレット型端末は、パーソナルコンピュータに限るものではなく、スマートフォンや携帯型ナビゲーション装置などであってもよい。また上述した実施形態では、本発明を小型電気自動車に適用した例を示したが、本発明は内燃機関によって駆動される自動車、あるいは内燃機関及びモータによって駆動されるハイブリッド自動車などにも適用可能である。
【００４２】
またスマートフォンにＴＡＢパソコン１００を遠隔操作するための遠隔操作プログラムをインストールしておくか、あるいは画像表示制御装置１０から遠隔操作プログラムを送信してインストールし、ＴＡＢパソコン１００がパソコンホルダ１２に設置されたときに、スマートフォンの遠隔操作プログラムを起動し、車両搭乗者がそのスマートフォンの遠隔操作プログラムを用いてナビゲーション操作、オーディオ機器操作、及び空調機操作を行えるようにしてもよい。
【符号の説明】
【００４３】
１  電子制御ユニット（端末制御手段、指令受付手段）
２  インタフェース部（端末制御手段）
３  通信部
４  設置センサ（端末制御手段）
５  操作入力カメラ（指令受付手段）
１１  車両メータパネル（車両メータ）
１２  パソコンホルダ（端末設置手段）
１００  タブレット型パーソナルコンピュータ（タブレット型端末、指令受付手段）
【図１】
2014094639.tif 000003
【図２】
2014094639.tif 000004
【図３】
2014094639.tif 000005
【図４】
2014094639.tif 000006
【図５】
2014094639.tif 000007
【図６】
2014094639.tif 000008
【図７】
2014094639.tif 000009